(57)【要約】      （修正有）【課題】水中手袋、及び水中用靴並びに水上用靴を使用した場合、内側内部に残留した水を速やかに排出することができるような支持シートを提供する。【解決手段】折り曲げ自在であって、伸縮性を有し、かつ所定の長さと幅を有する片面上の素材を採用した上で、長さ方向の両側に水中手袋２の全部又は一部の指先の外側最大幅よりもやや小さい径を有し、かつ当該指先を挿通することができる円形孔、及び水中用靴並びに水上用靴３の指先部位から踵部位に至る領域における最大幅よりも小さい径を有するも当該最大幅領域を挿通することが出来るような一対の円形孔を設けることによって課題を達成し得る。【選択図】図２
0003151906.tif 000002
【実用新案登録請求の範囲】
【請求項１】
折り曲げ自在であって、伸縮性を有し、かつ所定の長さと幅を有する平面状の素材を採用した上で、長さ方向の両側に水中手袋の全部又は一部の指先の外側最大幅よりも小さい径を有するも、当該指先を挿通することができる一対の円形孔を設けたことに基づく一対の水中手袋支持シート。
【請求項２】
略中央位置を最小の狭幅状態とし、両側の孔の周囲に近づけて順次広幅状態を形成し、かつ孔の周囲において円弧状を形成していることを特徴とする請求項１記載の一対の水中手袋支持シート。
【請求項３】
一対の円形孔が水中手袋の中指を挿通し得る径を有していることを特徴とする請求項１，２の何れか１項に記載の一対の水中手袋支持シート。
【請求項４】
折り曲げ自在であって、伸縮性を有し、かつ所定の長さと幅を有する平面状の素材を採用した上で、長さ方向の両側の位置に水中用靴又は水上用靴の指先部位から踵部位に至る領域における最大幅よりも小さい径を有するも、当該最大幅の部位を挿通することが出来る一対の円形孔を設けたことに基づく水中用靴及び水上用靴の支持シート。
【請求項５】
略中央位置を最小の狭幅状態とし、両側の孔の周囲に近づけて順次広幅状態を形成し、かつ孔の周囲において円弧状を形成していることを特徴とする請求項４記載の一対の水中用靴及び水上用靴の支持シート。
【請求項６】
円形孔と、その周囲を形成している円弧状とが、同心円を形成していることを特徴とする請求項５記載の一対の水中用靴及び水上用靴の支持シート。
【考案の詳細な説明】
【技術分野】
【０００１】
本考案は、横設したポールに略中央領域、又はその付近の領域を覆設した状態にて一対の水中手袋及び一対の水中用靴並びに水上用靴を支持することによって、内部に残留している水を速やかに落下させて輩出する為の支持シートに関するものである。
【背景技術】
【０００２】
水中手袋、及び水中用靴並びに水上用靴においては、使用後内側に水が残留している。
【０００３】
このような残留した水を水中手袋における指先と反対側の付け根部分、又は水中用靴及び水上用靴の足首挿入部分から速やかに排出した場合には、次の使用に極めて便利である。
【０００４】
然るに、これらの一対の用具について、使用後速やかに水を排出するための器具の構成はこれまで提唱されていない。
【０００５】
このため、水中手袋を使用した場合には、前記付け根部分と指先部分とを略水平方向となるように配置し所定の物（机等）に載置して緩慢なスピードにて、順次水を排出するという措置を講ぜざるを得ない。
【０００６】
同様に、水中用靴及び水上用の靴を使用した場合においても、これらの靴を所定の物（机等）に対し略水平方向に寝かした状態にて載置して内側に残留した水を緩慢なスピードにて、順次排出するという措置を講ぜざるを得ない。
【０００７】
しかしながら、このような措置の場合には、水の排出効率は極めて悪く、次の使用に速やかに適用することが不可能である。
【０００８】
このような状況に鑑み、特許文献１においては深い形状の手袋及び長靴を乾燥するために格別の装置の構成を提供している。
【０００９】
しかしながら、そのような装置の構成は極めて煩雑であって、水中手袋及び水中用靴並びに水上用靴について簡単に内部の水を排出する器具としては不適切である。
【００１０】
【特許文献１】特開2004-194973号公報
【考案の概要】
【考案が解決しようとする課題】
【００１１】
本考案は、水中手袋及び水中用靴並びに水上用靴を使用した場合、内側内部に残留した水を速やかに排出することができるような支持シートの構成を提供することを課題としている。
【課題を解決するための手段】
【００１２】
前記課題を解決するため、本考案の基本構成は
（１）折り曲げ自在であって、伸縮性を有し、かつ所定の長さと幅を有する平面状の素材を採用した上で、長さ方向の両側に水中手袋の全部又は一部の指先の外側最大幅よりも小さい径を有するも、当該指先を挿通することができる一対の円形孔を設けたことに基づく一対の水中手袋支持シート、
（２）折り曲げ自在であって、伸縮性を有し、かつ所定の長さと幅を有する平面状の素材を採用した上で、長さ方向の両側の位置に水中用靴又は水上用靴の指先部位から踵部位に至る領域における最大幅よりも小さい径を有するも、当該最大幅の部位を挿通することが出来る一対の円形孔を設けたことに基づく水中用靴及び水上用靴の支持シート、
からなる。
【考案の効果】
【００１３】
前記基本構成に基づき、本考案の支持シートを横設されたポールに本考案のシートの略中央又はその付近の領域を覆設したうえで、両側の円形孔に一対の手袋の何れかの指先を挿通させて当該水中手袋を支持すること、又は両側の円形孔に対し、水中用靴及び水上用靴の指先部位から踵部位に至る領域における最大幅部分を通過させるように挿通させて当該靴を支持することによって、水中用手袋の付け根部分及び水中用又は水上用靴の足首の挿入部位分を略下方向を向いた状態とした上で、内部に残留した水を速やかに下方に落下させて排出することが可能となる。
【図面の簡単な説明】
【００１４】
【図１】基本構成（１）、（２）の典型的な実施例を示す平面図である。
【図２】本考案の支持シート１を使用した態様を示す見取り図であって、（ａ）は基本構成（１）の場合を示しており、（ｂ）は基本構成（２）の場合を示している。
【考案を実施するための形態】
【００１５】
本考案の支持シート１の基本構成（１）、（２）の基本形状は、図１の平面図に示す通りであり、何れも折り曲げ自在であって、伸縮性を有し、かつ所定の長さと幅を有する平面状の素材を採用した上で、長さ方向の両側に一対の円形状１１の孔を設けている。
【００１６】
基本構成（１）の場合には、円形孔１１の径は、水中手袋２の全ての指又は一部の指の外側最大幅よりも小さく設計されているが、前記のように折り曲げ自在であって、しかも伸縮性を有することによって全ての指先又は一部の指先を挿通し得る状態に構成されている。
【００１７】
同様に、基本構成（２）の孔１１の径は、水中用靴又は水上用靴３の指先部位から踵部位に至る領域における最大幅よりもやや小さく設計されているが、前記のような折り曲げ自在であってしかも伸縮性を有することによって当該最大幅の部位を挿通し得る状態に構成されている。
【００１８】
前記のように両側に一対の孔１１を設けた基本構成（１）、及び（２）においては、図２（ａ）、及び（ｂ）に示すように、水中手袋２の指先の最大幅部分及び水中用靴並びに水上用靴３のつま先から最大幅部分を挿通させた上で、支持シート１１の長さ方向略中央部位又はその近傍の領域を横設されたポール４に覆設した場合には、水中手袋２における指先と反対側の付け根部分及び水中用靴並びに水上用靴３の指先と反対側の足首挿入部分の何れも図２（ａ）（ｂ）に示すように、下側を向くように設定することができる。
【００１９】
このような設定によって使用後の水中手袋２、及び水中用靴並びに水上用靴３内に残留した水は速やかに下側に落下して排出され、速やかに次の使用に適用することができる。
【００２０】
通常の実施形態によっては、図１に示すように、略中央位置を最小の狭幅状態とし、両側の孔１１の周囲に近づけて順次広幅状態を形成し、かつ孔１１の周囲において円弧状を形成し、かつ孔１１の周囲において円弧状を形成していることを特徴とする形状を採用しており、そのような形状によって材料を節約することができると共に、スマートな形態上の印象を与えることができる。
【００２１】
以下実施例について説明する。
【実施例１】
【００２２】
実施例１は、基本構成（１）において、図２（ａ）に示すように、一対の円形孔１１が水中手袋２の中指を挿通し得る径を有していることを特徴としている。
【００２３】
即ち、実施例１の場合には、水中手袋２の指先のうち、略中央に位置している中指を一対の挿通孔１１に挿通させることによって安定した状態にて水中手袋２を支持シート１に支持することが可能となる。
【実施例２】
【００２４】
実施例２は、前記基本構成（２）において、図１に示すように円形孔１１と、その周囲を形成している円弧状とが、同心円を形成していることを特徴としている。
【００２５】
即ち、実施例２の場合には、前記のような同心円状の形態を採用することによって、スマートな印象を更に助長することが出来る。
【産業上の利用可能性】
【００２６】
本考案の構成は、サーフィン及びダイビング等のスポーツ関係に使用する水中手袋及び水中用靴並びに水上用靴の全種類に使用する器具として採用することが可能である。
【符号の説明】
【００２７】
１  支持シート
１１  孔
２  水中手袋
３  水中用靴及び水上用靴
４  ポール
【図１】
0003151906.tif 000003
【図２】
0003151906.tif 000004